(57)【要約】【課題】放電灯の点灯累積時間の初期化が簡単に行える照明器具およびそれを用いる照明システムを提供する。【解決手段】照明器具１は、調光制御が可能な放電灯点灯装置１２と、放電灯１１が点灯しているか否かを検出する点灯検出部１５と、点灯検出部１５が放電灯１１の点灯状態を検出している期間を計時して、点灯累積時間を不揮発性メモリ１７に記憶させる点灯時間タイマ１６と、点灯時間タイマ１６により計時された点灯累積時間をもとに、経時変化により減少する放電灯１１の光束を補正するように調光比を決定する調光比設定部１８と、外部から与えられるリセット信号を検出するリセット信号検出部２１と、リセット信号検出部２１がリセット信号を検出すると点灯時間タイマ１６および不揮発性メモリ１７に初期化信号を出力して点灯累積時間を初期化するリセット回路２２とを備える。【選択図】図１
2006236705.tif 000002
【特許請求の範囲】
【請求項１】
放電灯が装着される照明器具本体と、放電灯に点灯出力を供給する点灯回路部と、照明器具本体に装着された放電灯の点灯累積時間を計時する点灯時間計時部と、点灯時間計時部により計時された点灯累積時間をもとに、経時変化により減少する放電灯の光束を補正するように点灯回路部の出力を制御する制御回路部とを備え、外部から与えられるリセット信号を検出する検出手段と、当該検出手段がリセット信号を検出すると点灯時間計時部の計時した点灯累積時間を初期化するリセット手段とを設けたことを特徴とする照明器具。
【請求項２】
前記検出手段が、照明器具本体に加えられた振動をリセット信号として検出する振動センサからなることを特徴とする請求項１記載の照明器具。
【請求項３】
前記検出手段が、受光部への光の照射をリセット信号として検出する照度センサからなることを特徴とする請求項１記載の照明器具。
【請求項４】
前記検出手段が、受光部への赤外線の照射をリセット信号として検出する赤外線受光素子からなることを特徴とする請求項１記載の照明器具。
【請求項５】
前記検出手段が、所定の音信号の入力をリセット信号として検出する集音素子からなることを特徴とする請求項１記載の照明器具。
【請求項６】
前記検出手段が、器具毎に個別に割り当てた識別情報が付加された信号をリセット信号として受信する信号受信手段からなることを特徴とする請求項１記載の照明器具。
【請求項７】
前記検出手段が、照明器具本体に加えられた振動をリセット信号として検出する振動センサ、受光部への光の照射をリセット信号として検出する照度センサ、受光部への赤外線の照射をリセット信号として検出する赤外線受光素子、所定の音信号の入力をリセット信号として検出する集音素子、及び、器具毎に個別に割り当てた識別情報が付加された制御信号をリセット信号として受信する信号受信手段の内の複数を組み合わせて構成されることを特徴とする請求項１記載の照明器具。
【請求項８】
請求項１乃至６の何れかに記載された複数台の照明器具と、各照明器具を制御する制御装置とを備えたことを特徴とする照明システム。
【発明の詳細な説明】
【技術分野】
【０００１】
本発明は、照明器具およびそれを用いる照明システムに関するものである。
【背景技術】
【０００２】
一般に照明用に用いられる放電灯の光束は点灯累積時間に応じて減少する。すなわち放電灯はその点灯累積時間に応じて光出力が低下するので、このような光出力の低下を抑制するため、例えば特許文献１に示されるように、放電灯の点灯累積時間を計時する計時手段と、放電灯の点灯累積時間と補正用の調光比とを対応付けた補正用テーブルを記憶させたメモリとを備え、計時手段により計時された点灯累積時間をもとにメモリに記憶された補正用テーブルから補正用の調光比を読み出して放電灯を調光することで、放電灯の光出力を経時変化に関わらず略一定に保つようにした照明器具が従来より提供されている。
【０００３】
このような初期照度補正機能を有する照明器具では、放電灯の交換時に計時手段が計時した点灯累積時間を初期化する必要があり、点灯累積時間の初期化方法として、例えば照明器具本体に設けたリセットスイッチを操作することで点灯累積時間を初期化したり、照明器具本体に装着されている放電灯の寿命末期を検出して点灯累積時間を初期化したり、無負荷状態において電源スイッチのオン／オフの所定回数だけ繰り返すと点灯累積時間を初期化するといった方法が従来より提案されていた（特許文献１および特許文献２参照）。
【特許文献１】特開２００１−１５２７６号公報（段落番号［００２７］、［００４９］〜［００５２］、及び、第１３図）
【特許文献２】特開２００４−２４７２２５号公報（段落番号［０００４］、［００２７］、［００３７］、及び、第１図、第７図）
【発明の開示】
【発明が解決しようとする課題】
【０００４】
上述した従来の照明器具による点灯累積時間のリセット手段では、それぞれ以下に述べるような問題点が存在する。まず照明器具本体に設けたリセットスイッチで点灯累積時間を初期化する照明器具では、照明器具本体や反射板などにリセットスイッチを取り付けるための取付スペースを確保する必要があり、またランプ交換時にスイッチ操作を容易に行えるように外側から操作可能な場所にリセットスイッチを取り付ける必要があるので、反射板にリセットスイッチを操作するための操作孔を形成しなければならず、初期照度補正機能を持たない一般の照明器具と照明器具本体や反射板を共用できないために、コストアップを招いてしまうという問題があった。またダウンライトのように開口部が限られている照明器具では、反射板の奥の方にリセットスイッチを取り付けるか、反射板以外の場所に開口を設けてリセットスイッチを設置しなければならず、操作性や施工性が悪いという問題があった。
【０００５】
また照明器具本体に装着された放電灯の寿命末期を検出して点灯累積時間を初期化する照明器具では、交換期間が予め決められており、未だ寿命が来ていない放電灯を定期交換で交換する場合には、点灯累積時間のリセットができないため、別途のリセット手段が必要になるという問題があった。
【０００６】
また更に無負荷状態において電源スイッチのオン／オフの繰り返し回数を検出することで点灯累積時間を初期化する照明器具では、複数台の照明器具で放電灯の定期交換を行う場合、全ての放電灯を一旦取り外した後に無負荷状態で電源スイッチを所定回数オン／オフさせる作業が必要になり、交換の際に手間がかかるという問題があった。また一般的なランプ交換作業では古いランプを取り外すと同時に新しいランプに入れ替えるのであるが、このリセット方法では、対象の照明器具の放電灯を全て取り外した後に電源スイッチのオン／オフ操作を所定回数行ってから、全ての照明器具に新しい放電灯を取り付ける作業を行わねばならず、作業効率が悪いという問題があった。特に放電灯を交換する際に脚立などに登って高所で作業する必要がある場合は、古い放電灯の取り外しと同時に新しい放電灯を取り付ける場合に比べ、脚立を照明器具の設置場所まで移動させる作業や脚立の登り降りの作業が増え、多大な労力が必要になるという問題があった。
【０００７】
本発明は上記問題点に鑑みて為されたものであり、その目的とするところは、放電灯の点灯累積時間の初期化が簡単に行える照明器具およびそれを用いる照明システムを提供することにある。
【課題を解決するための手段】
【０００８】
上記目的を達成するために、請求項１の発明は、放電灯が装着される照明器具本体と、放電灯に点灯出力を供給する点灯回路部と、照明器具本体に装着された放電灯の点灯累積時間を計時する点灯時間計時部と、点灯時間計時部により計時された点灯累積時間をもとに、経時変化により減少する放電灯の光束を補正するように点灯回路部の出力を制御する制御回路部とを備え、外部から与えられるリセット信号を検出する検出手段と、当該検出手段がリセット信号を検出すると点灯時間計時部の計時した点灯累積時間を初期化するリセット手段とを設けたことを特徴とする。
【０００９】
この発明によれば、検出手段により外部から与えられるリセット信号を検出すると、リセット手段が点灯累積時間をリセットしているので、リセットスイッチを用いる場合のように照明器具本体の外側に検出手段を取り付ける必要が無く、照明器具本体の外観の見栄えを良くできる。しかもリセットスイッチを用いる場合のように手で直接操作する必要がないから、点灯累積時間の初期化作業を簡単に行うことができる。
【００１０】
請求項２の発明は、請求項１の発明において、検出手段が、照明器具本体に加えられた振動をリセット信号として検出する振動センサからなることを特徴とする。
【００１１】
この発明によれば、照明器具本体に外部から振動を与えることで、点灯累積時間を初期化することができるので、振動センサを照明器具本体の外側に取り付ける必要がない。したがって、振動センサの取付スペースを照明器具本体の外側に確保する必要がないから、検出手段を持たない照明器具と照明器具本体の共通化を図ることが可能になり、外観の見栄えも良くできる
請求項３の発明は、請求項１の発明において、検出手段が、受光部への光の照射をリセット信号として検出する照度センサからなることを特徴とする。
【００１２】
この発明によれば、照度センサに対して外部から光を入射させることで、点灯累積時間を初期化することができるので、照度センサに対して光を照射可能であれば、照度センサを照明器具本体の外側に取り付ける必要は無い。したがって、照度センサの取付スペースを照明器具本体の外側に確保する必要がないから、検出手段を持たない照明器具と照明器具本体の共通化を図ることが可能になり、外観の見栄えも良くできる
請求項４の発明は、請求項１の発明において、検出手段が、受光部への赤外線の照射をリセット信号として検出する赤外線受光素子からなることを特徴とする。
【００１３】
この発明によれば、赤外線受光素子に対して外部から赤外線を照射することで、点灯累積時間を初期化することができるので、赤外線受光素子に対して赤外線を照射させることができるのであれば、赤外線受光素子を照明器具本体の外側に取り付ける必要はなく、外観の見栄えを良くできる。しかも赤外線受光素子では、放電灯からの照射光と赤外線とを弁別して受信することができるから、放電灯などからの可視光を受光することによって点灯累積時間が初期化されるのを防止できる。
【００１４】
請求項５の発明は、請求項１の発明において、検出手段が、所定の音信号の入力をリセット信号として検出する集音素子からなることを特徴とする。
【００１５】
この発明によれば、集音素子に所定の音信号を入力することで、点灯累積時間を初期化することができるので、集音素子に音が入力できるのであれば、集音素子を照明器具本体の外側に取り付ける必要はなく、検出手段を持たない照明器具と照明器具本体の共通化を図ることが可能になり、外観の見栄えも良くできる。
【００１６】
請求項６の発明は、請求項１の発明において、検出手段が、器具毎に個別に割り当てた識別情報が付加された信号をリセット信号として受信する信号受信手段からなることを特徴とする。
【００１７】
この発明によれば、信号受信手段に識別情報が付加された信号をリセット信号として入力することで、点灯累積時間を初期化することができるので、リセットスイッチを用いる場合のように検出手段を照明器具本体の外側に取り付ける必要はなく、検出手段を持たない照明器具と照明器具本体の共通化を図ることが可能になり、外観の見栄えも良くできる。
【００１８】
請求項７の発明は、請求項１の発明において、検出手段が、照明器具本体に加えられた振動をリセット信号として検出する振動センサ、受光部への光の照射をリセット信号として検出する照度センサ、受光部への赤外線の照射をリセット信号として検出する赤外線受光素子、所定の音信号の入力をリセット信号として検出する集音素子、及び、器具毎に個別に割り当てられた識別情報が付加された信号をリセット信号として受信する信号受信手段の内の複数を組み合わせて構成されることを特徴とする。
【００１９】
この発明によれば、複数の検出手段を組み合わせて用いることで、複数の方法で点灯累積時間を初期化することが可能になり、複数の方法から所望の方法を選択して点灯累積時間を初期化することができる。
【００２０】
請求項８の発明は照明システムであって、請求項１乃至６の何れかに記載された複数台の照明器具と、各照明器具を制御する制御装置とを備えたことを特徴とする。
【００２１】
この発明によれば、複数の照明器具の各々について点灯累積時間の初期化作業を容易に行える照明システムを実現することができる。
【発明の効果】
【００２２】
請求項１の発明によれば、検出手段により外部から与えられるリセット信号を検出すると、リセット手段が点灯累積時間をリセットしているので、リセットスイッチを用いる場合のように照明器具本体の外側に検出手段を取り付ける必要が無く、照明器具本体の外観の見栄えを良くでき、且つリセットスイッチを用いる場合のように手で直接操作する必要がないから、点灯累積時間の初期化作業を簡単に行える照明器具を実現できる。
【００２３】
また請求項８の発明によれば、複数の照明器具の各々について点灯累積時間の初期化作業を容易に行える照明システムを実現できる。
【発明を実施するための最良の形態】
【００２４】
以下に本発明の実施の形態を図面に基づいて説明する。
【００２５】
（実施形態１）
本実施形態の照明器具１は、図１に示すように、蛍光灯のような放電灯１１と、調光制御が可能な放電灯点灯装置１２（点灯回路部）とを備え、放電灯１１は放電灯点灯装置１２の出力によって点灯される。また経時変化により放電灯１１の光出力が低下するのを抑制するために、照度補正装置１４により放電灯１１を調光することで放電灯１１の光出力を略一定に保っている。
【００２６】
放電灯点灯装置１２は、商用電源ＡＣを全波整流するダイオードブリッジのような整流器ＤＢ１と、整流器ＤＢ１により整流された電圧を平滑して略一定の直流電圧に変換するチョッパ回路ＣＰと、チョッパ回路ＣＰの出力電圧を高周波の交流電圧に変換して放電灯１１に供給するインバータ回路ＩＮＶとを備える。
【００２７】
チョッパ回路ＣＰでは、整流器ＤＢ１の直流出力端子間にインダクタＬ１を介してＭＯＳＦＥＴよりなるスイッチング素子Ｑ３が接続され、スイッチング素子Ｑ３の両端間にはダイオードＤ１と平滑コンデンサＣ１との直列回路が接続されており、平滑コンデンサＣ１を電源としてインバータ回路ＩＮＶが駆動されるようになっている。
【００２８】
インバータ回路ＩＮＶは、平滑コンデンサＣ１の両端間に接続されたＭＯＳＦＥＴからなる一対のスイッチング素子Ｑ１，Ｑ２の直列回路を備え、ローサイドのスイッチング素子Ｑ２の両端間に、直流カット用のコンデンサＣ２と共振用のインダクタＬ２と放電灯１１との直列回路が接続された構成を有する。また放電灯１１の両フィラメントの非電源側端間には、インダクタＬ２とともに共振回路を構成するコンデンサＣ３が接続されている。
【００２９】
各スイッチング素子Ｑ１〜Ｑ３は制御部１３によって高周波でオン／オフされ、インバータ回路ＩＮＶを構成する一対のスイッチング素子Ｑ１，Ｑ２は交互にオン／オフされる。また制御部１３には、照度補正装置１４からの調光信号が入力されており、調光信号に応じてスイッチング素子Ｑ１，Ｑ２のオン／オフの周期（つまり動作周波数）を制御することによって、放電灯１１に供給する電力を調節するようになっている。
【００３０】
この放電灯点灯装置１２の動作は周知のものであって、インダクタＬ１とスイッチング素子Ｑ３とダイオードＤ１と平滑コンデンサＣ１とで構成される昇圧チョッパ回路ＣＰにより整流器ＤＢ１の出力電圧を昇圧して、略一定の直流電圧を発生し、インバータ回路ＩＮＶによりスイッチング素子Ｑ１，Ｑ２を交互にオン／オフさせることで、放電灯１１に交番電流を流すのである。ここで、インバータ回路ＩＮＶから放電灯１１への給電経路にはインダクタＬ２やコンデンサＣ３が存在するから、スイッチング素子Ｑ１，Ｑ２のオン／オフの周期（動作周波数）と、インダクタＬ２およびコンデンサＣ３などによる共振周波数との関係によって、放電灯１１への供給エネルギを調節することができる。
【００３１】
この照明器具１では、放電灯１１の点灯累積時間を計時するために、放電灯１１が点灯しているか否かを検出する点灯検出部１５を設けている。この点灯検出部１５は、商用電源ＡＣの電源電圧を分圧する抵抗Ｒ１，Ｒ２の直列回路と、抵抗Ｒ２の両端電圧を全波整流するダイオードブリッジよりなる整流器ＤＢ２と、整流器ＤＢ２の出力電圧を平滑する平滑コンデンサＣ４とからなり、平滑コンデンサＣ４の両端電圧が規定電圧以上であれば、商用電源ＡＣが供給されて放電灯１１が点灯していると判断できる。したがって、点灯時間タイマ１６では、平滑コンデンサＣ４の両端電圧が規定電圧以上である期間を計時することで、放電灯１１の点灯累積時間を計時している。
【００３２】
ところで照度補正装置１４は、点灯時間タイマ１６とともにマイコンにより構成される。このマイコンには点灯時間タイマ１６による計時時間を読み書きするととともに照度補正装置１４において用いる補正用テーブルを格納したＥＥＰＲＯＭである不揮発性メモリ１７が設けられる。補正用テーブルは放電灯１１の点灯累積時間と補正用の調光比とを対応付けたテーブルであって、照度補正装置１４に設けた調光比設定部１８において点灯時間タイマ１６により計時された点灯累積時間を用いて不揮発性メモリ１７から調光比を読み出すことで、放電灯１１の光出力を略一定に保つための調光比を決定することができる。調光比設定部１８により決定した調光比は調光信号生成部１９に与えられ、制御部１３に与える調光信号が生成される。ここにおいて、点灯時間タイマ１６、調光比設定部１８、調光信号生成部１９の電源は、平滑コンデンサＣ４の両端電圧を定電圧化する３端子レギュレータＲＧ１により供給される。ここに点灯検出部１５と点灯時間タイマ１６と不揮発性メモリ１７とで点灯累積時間を計時する点灯時間計時部が構成され、調光比設定部１８と調光信号生成部１９と制御部１３とで制御回路部が構成される。
【００３３】
而して、図示しない電源スイッチが投入されて商用電源ＡＣから放電灯点灯装置１２に電源が供給されると、平滑コンデンサＣ４の両端電圧が増加し、その両端電圧が規定電圧に達すると点灯時間タイマ１６は以下の初期設定処理を行う。すなわち点灯時間タイマ１６では、不揮発性メモリ１７に書き込まれている点灯累積時間を読み出して、この時間を初期値としてセットした後、平滑コンデンサＣ４の両端電圧が規定電圧以上となる間、点灯累積時間の計時を行い、計時結果を不揮発性メモリ１７に格納する。また点灯時間タイマ１６は点灯累積時間の計時結果を調光比設定部１８に与え、調光比設定部１８では不揮発性メモリ１７に格納されている補正用テーブルに点灯累積時間を照合し、点灯累積時間に対応した調光比を読み出す。こうして読み出された調光比は調光信号生成部１９に与えられて、インバータ回路ＩＮＶの出力が制御されており、点灯累積時間に応じて放電灯１１への供給電力を調節するのである。
【００３４】
ここで、図２（ａ）は放電灯１１の光束の経時変化を示しており、点灯時間（点灯累積時間）の経過に伴って減少するため、経時変化による光量の減少を補正するように照度補正装置１４が放電灯点灯装置１２の出力を制御する。図２（ｂ）は放電灯点灯装置１２の出力の時間変化を示しており、放電灯１１の交換直後は放電灯１１を調光点灯し、点灯累積時間の経過に伴って放電灯１１を定格点灯に近付けるように調光比設定部１８が放電灯点灯装置１２の出力を制御している。したがって、放電灯点灯装置１２の出力が一定であれば、点灯累積時間の経過に伴って放電灯１１の光束が低下するのに対して、放電灯点灯装置１２の出力を点灯累積時間の経過に伴って図２（ｂ）のように増加させることで、図２（ｃ）のように放電灯１１の光出力を略一定に制御している。
【００３５】
このように本実施形態では照度補正装置１４が、放電灯１１の点灯累積時間の経過に伴って放電灯点灯装置１２の出力を補正しているので、放電灯１１を交換した場合には不揮発性メモリ１７に記憶された点灯累積時間の値を初期化する必要がある。そこで、本実施形態では、外部から与えられるリセット信号を検出するリセット信号検出部２１と、リセット信号検出部２１がリセット信号を検出すると点灯時間タイマ１６および不揮発性メモリ１７に初期化信号Ｖａを出力して点灯累積時間を初期化するリセット回路２２とを備えたリセット制御部２０を設けている。
【００３６】
ここで、図３はリセット回路２２の具体構成を示しており、本実施形態ではリセット信号検出部２１を、放電灯１１の交換時に照明器具本体に故意に加えられた振動を検出する振動センサ２３で構成するとともに、リセット回路２２を、振動センサ２３の出力を増幅するアンプ２４と、アンプ２４の出力を平滑化する平滑回路２５と、平滑回路２５の出力電圧と所定の基準電圧Ｖｒｅｆとの高低を比較するコンパレータ２６とで構成している。
【００３７】
而して照明器具本体に装着された放電灯１１が寿命末期になったり、定期交換の時期が来たために交換される場合に、作業者が照明器具本体を叩くなどして故意に振動を加えると、振動センサ２３がその振動を検知して、振動の大きさに応じた出力信号（電圧信号或いは電流信号）を出力する。振動センサ２３の出力信号はアンプ２４で増幅された後、平滑回路２５で平滑化されており、平滑化された信号電圧が所定の基準電圧Ｖｒｅｆを超えると、コンパレータ２６の出力電圧Ｖａの信号レベルがＨレベルになる。すなわちリセット回路２２では、平滑回路２５で平滑化された信号電圧が基準電圧Ｖｒｅｆを超えると、リセット信号が入力されたと判断して、点灯時間タイマ１６および不揮発性メモリ１７に初期化信号Ｖａを与えて、点灯累積時間を初期化するのである。
【００３８】
このように本実施形態では振動センサ２３により照明器具本体に故意に与えられた振動を検知すると、点灯累積時間をリセットしており、リセットスイッチのように手で直接操作しなくても良いから、振動センサ２３を照明器具１の外部に設置する必要はなく、照明器具本体の内部に設置することができる。したがって、照明器具本体の構造を簡単にできるとともに、照度補正機能を持たない一般の照明器具と照明器具本体を共用でき、外観の見栄えも良くできる。
【００３９】
なおコンパレータ２６の基準電圧Ｖｒｅｆを十分大きな値に設定しておけば、作業者が照明器具本体に故意に与えた振動以外の振動を振動センサ２３が検知して、点灯累積時間が初期化されるのを防止できる。またリセット制御部２０では、図４に示すようにコンパレータ２６から所定の単位時間Ｔ内に所定回数（例えば３回）以上検知信号が出力された場合のみ、点灯時間タイマ１６および不揮発性メモリ１７に初期化信号Ｖａを与えるようにしても良く、不意な振動を振動センサ２３が検知して誤動作が発生するのを確実に防止できる。
【００４０】
また図５に示すように無負荷状態を検出する無負荷検出部２７を設け、無負荷検出部２７が無負荷状態を検出している場合のみリセット制御部２０からの初期化信号Ｖａが有効になるように回路を構成しても良く、点灯累積時間が意図と異なって初期化されるのを防止できる。図５に示す回路では放電灯１１と直列にカレントトランスＣＴ１の一次巻線を接続し、カレントトランスＣＴ１の二次巻線に流れる電流を整流器ＤＢ３で全波整流した後、コンデンサＣ５で平滑している。無負荷検出部２７は、コンデンサＣ５の両端電圧と所定の基準電圧との高低を比較することによって、放電灯１１が外されているか否かを判断しており、その出力信号Ｖｂはアンドゲート２８に入力される。アンドゲート２８にはリセット制御部２０の出力信号Ｖａも入力されており、２つの信号Ｖａ，Ｖｂの論理積を求めて、出力信号Ｖｃを点灯時間タイマ１６および不揮発性メモリ１７に出力する。
【００４１】
而して、放電灯１１の点灯中はコンデンサＣ５の両端電圧が所定の基準値レベルを越えるので、無負荷検出部２７は放電灯１１が接続されていると判断して、出力信号Ｖｂの信号レベルをＬレベルとする。無負荷検出部２７の出力信号ＶｂがＬレベルになると、アンドゲート２８の出力Ｖｃの信号レベルは常にＬレベルとなるので、点灯累積時間が初期化されることはない。一方、放電灯１１が外されると、コンデンサＣ５の両端電圧が基準値レベルを下回るので、無負荷検出部２７は無負荷状態と判断して、出力信号Ｖｂの信号レベルをＨレベルとする。この状態で照明器具本体に故意に振動を加えると、振動センサ２３が振動を検知してリセット制御部２０からＨレベルの初期化信号Ｖａが出力されるので、アンドゲート２８の出力信号Ｖｃの信号レベルがＨレベルとなり、点灯時間タイマ１６および不揮発性メモリ１７に初期化信号が与えられて、点灯累積時間が初期化される。このように、無負荷検出部２７が無負荷状態を検出した場合のみリセット制御部２０からの初期化信号Ｖａを有効にしているので、放電灯１１が装着されている状態で不意な振動が加わったとしても点灯累積時間が初期化されることはなく、点灯累積時間が誤って初期化されるのを防止できる。
【００４２】
また本実施形態では、外部から与えられる振動をリセット信号として検出する振動センサ２３を備えた形態について説明を行ったが、リセット信号の検出手段を振動センサ２３に限定する趣旨のものではなく、上述したリセット制御部２０において振動センサ２３の代わりに、所定の音信号の入力をリセット信号として検出するマイクロフォンのような集音素子や、受光部への光の照射をリセット信号として検出する照度センサや、受光部への赤外線の照射をリセット信号として検出する赤外線受光素子や、器具毎に個別に割り当てられた識別情報を付加した信号をリセット信号として受信する信号受信手段の何れかを用いても良いし、上述の振動センサ２３、照度センサ、赤外線受光素子、集音素子、及び信号受信手段の内の複数を組み合わせて検出手段を構成しても良い。
【００４３】
（実施形態２）
本発明の実施形態２を図６に基づいて説明する。本実施形態では、上述した実施形態１において、検出手段として振動センサ２３の代わりに照度センサ３３を用いている。尚、照明器具１の回路構成は実施形態１と略同じであるので、共通する構成要素には同一の符号を付して、図示および説明は省略する。
【００４４】
図２は照明器具１の概略構成図であり、照明器具１の照明器具本体３０内部に収納された照度センサ３３に所定光量以上の光が照射された場合には、リセット制御部２０が初期化信号を出力して点灯累積時間をリセットしている。この照明器具１では、放電灯点灯装置１２や照度補正装置１４を納装する照明器具本体３０の下側に、図示しないソケットを介して直管形の蛍光ランプのような放電灯１１が装着されるとともに、放電灯１１から上側に照射された光を下側の照明空間に向かって反射させる反射板３１が取り付けられている。また照明器具本体３０の内部には照度補正装置１４を収納する内ケース３４が配置され、この内ケース３４の内部に受光面を下向きにして照度センサ３３が納装されている。ここで内ケース３４の下面には照度センサ３３の受光面に対向する部位に透孔３５が開口している。また照明器具本体３０の下面には透孔３５の下側に開口窓３２が設けられ、この開口窓３２を開閉自在に塞ぐ扉３２ａが取り付けられている。
【００４５】
ここで、ランプ交換時に点灯累積時間を初期化する際には、放電灯１１を外した後に扉３２ａを開けて、懐中電灯などの光を開口窓３２および透孔３５を通して照度センサ３３に照射させると、照度センサ３３からの出力信号を受けてリセット回路２２が初期化信号Ｖａを出力し、点灯累積時間を初期化させることができる。一方、通常点灯時には扉３２ａを閉じておけば良く、放電灯１１の光などが開口窓３２および透孔３５を通して照度センサ３３に入射されることはないから、点灯累積時間が誤って初期化されるのを防止できる。
【００４６】
このように検出手段として照度センサ３３を用いる場合は、照明器具本体３０の内部に外部から光を照射可能な状態で照度センサ３３を取り付けるとともに、照度センサ３３に光を照射するための開口窓３２に開閉可能な扉３２ａを取り付けるだけでよいので、リセットスイッチを用いる場合のように照明器具本体の外側にリセットスイッチを取り付ける必要が無く、また外部に取り付けたリセットスイッチとリセット制御部との間の配線も不要になるので、リセット制御部２０の構成を簡単にできる。なお照度センサ３３に光を照射するための開口窓３２は放電灯１１の後側に設ければ良く、開口窓３２を放電灯１１で隠すことによって外観の見栄えが悪くなることもない。
【００４７】
（実施形態３）
本実施形態では、上述した実施形態２において、検出手段として照度センサ３３の代わりに赤外線検出素子を用いている。尚、照明器具１の回路構成は実施形態１と略同じであるので、共通する構成要素には同一の符号を付して、図示および説明は省略する。また照明器具１の概略構成は図６に示す構成と略同様であるので、共通する構成要素には同一の符号を付して、図示および説明は省略する。
【００４８】
本実施形態では検出手段として赤外線受光素子を用いており、図６に示した照明器具１において照度センサ３３の代わりにフォトダイオードやフォトトランジスタよりなる赤外線受光素子（図示せず）を取り付けている。
【００４９】
赤外線受光素子に赤外線を照射する際には、赤外線信号を送信するリモコン送信器を用いる。テレビやＶＴＲなどの家電製品に一般的に用いられているリモコン送信器では、メーカ名や製品の種別や制御内容を示す複雑なコードを含む赤外線信号を送信しているが、赤外線信号に含まれるコードは無視して、所定のキャリア周波数の赤外線信号が存在するか否かを赤外線受光素子により判別するようにすれば、家電製品用のリモコン送信器を用いてリセット信号を送信させることが可能になり、特別なリモコン送信器を用意する必要がない。
【００５０】
なお家電製品用のリモコン送信器で使用される赤外線信号のフォーマットは（財）家電製品協会の規格などで決められており、そのキャリア周波数は３０数ｋＨｚであり、インバータ回路を用いた放電灯点灯装置１２の点灯周波数に赤外線信号の周波数範囲が含まれないように設計されているので、赤外線受光素子では、放電灯１１からの照射光とリモコン送信器の赤外線信号とを弁別して検出することが可能である。ここで、赤外線受光素子により所定のキャリア周波数の赤外線信号のみを検出するようにすれば、放電灯１１からの照射光による誤動作を防止することができ、照度センサ３３を用いる場合のように開口窓３２に扉３２ａを設ける必要が無い。したがって、照明器具本体３０には、赤外線受光素子の受光面に対向する部位に開口窓３２さえ設けていれば良く、照明器具本体の構造を簡単にできるとともに、点灯累積時間を初期化する際に扉３２ａを開ける作業が不要になるから、作業性がさらに向上するという利点がある。
【００５１】
（実施形態３）
本発明の実施形態３を図７および図８に基づいて説明する。図７は本実施形態の照明器具１の要部の回路図であり、リセット制御部２０以外の回路構成は実施形態１と同様であるので、共通する構成要素には同一の符号を付して、図示および説明は省略する。
【００５２】
本実施形態では検出手段として、器具毎に割り当てられた識別情報を付加した制御信号をリセット信号として受信する信号受信手段を用いている。すなわちリセット制御部２０は、外部からの信号線を接続するための一対の入力端子１ｂを有し、入力端子１ｂから入力される信号を整流器ＤＢ４により全波整流し、フォトカプラＰＣ１により電気的に絶縁して、外部信号制御部２９に入力する。外部信号制御部２９では、端子１ｂから入力される伝送信号に含まれる識別情報を、当該照明器具１に予め割り当てられている識別情報と比較し、両者が一致すれば点灯時間タイマ１６および不揮発性メモリ１７に初期化信号を出力して、点灯累積時間を初期化しており、外部の装置から所望の照明器具１の点灯累積時間を初期化できるようになっている。
【００５３】
なお伝送信号には照明器具１の識別情報が最低限含まれていれば、照明器具１の点灯累積時間を初期化することが可能であるが、伝送信号に所望の制御内容を示す制御コードを付加し、この制御コードとして、点灯累積時間を初期化させるコードや、放電灯１１を消灯させるコードや、放電灯１１を強制的に全点灯させるコードなどを用意すれば、外部の装置から照明器具１の高度な制御を行うことが可能になる。
【００５４】
次に本実施形態の照明器具１を用いた照明システムについて説明する。図８（ａ）は、図７に示した信号受信手段を備える複数台の照明器具１と、各照明器具１を制御する制御装置２とで構成される照明システムのシステム構成図であり、制御装置２と各照明器具１の入力端子１ｂとの間を一対の信号線４を介して接続してある。また各照明器具１の電源端子１ａには商用電源ＡＣからの電源線３が接続されている。
【００５５】
ここで、複数台の照明器具１には、個々の照明器具１を個別に識別するための識別情報が割り当てられており、制御装置２からは識別情報を付加した伝送信号を照明器具１に送信することで、個々の照明器具１の動作を制御することができる。図８（ｂ）は本システムで用いられる伝送信号の信号フォーマットを示しており、この伝送信号は、伝送信号の送信開始を示すスタート信号Ｓａと、制御対象の照明器具１の識別情報で構成されるアドレス認識信号Ｓｂと、所望の制御内容を示す制御信号Ｓｃと、伝送信号の送信終了を示すエンド信号Ｓｄとで構成される。
【００５６】
而して制御装置２から、制御対象の照明器具１を示すアドレス認識信号Ｓｂと、所望の制御内容を示す制御信号Ｓｃとで構成される伝送信号を信号線４に対して送出することによって、所望の照明器具１の動作を制御することが可能になる。また制御装置２から制御信号として点灯累積時間を初期化する信号を送信すれば、所望の照明器具１の点灯累積時間を初期化することが可能になる。
【００５７】
ところで、上述した実施形態１、２の照明器具１に本実施形態で説明した外部信号制御部２９を設けて、複数台の照明器具１と制御装置２とで照明システムを構成しても良く、制御装置２から各照明器具１の動作を制御するできる。なおこの場合には個々の照明器具１で個別に点灯累積時間の初期化動作を行うことになる。
【００５８】
なお、本発明の精神と範囲に反することなしに、広範に異なる実施形態を構成することができることは明白なので、この発明は、特定の実施形態に制約されるものではない。
【図面の簡単な説明】
【００５９】
【図１】実施形態１の照明器具の具体回路図である。
【図２】（ａ）〜（ｃ）は同上の動作を説明するための波形図である。
【図３】同上の要部回路図である。
【図４】同上の他の動作を説明する波形図である。
【図５】同上の別の構成を示す要部回路図である。
【図６】実施形態２の照明器具の概略構成図である。
【図７】実施形態３の照明器具の要部回路図である。
【図８】同上の照明器具を用いる照明システムを示し、（ａ）はシステム構成図、（ｂ）は本システムで使用する伝送信号の説明図である。
【符号の説明】
【００６０】
１    照明器具
１１  放電灯
１２  放電灯点灯装置
１５  点灯検出部
１６  点灯時間タイマ
１７  不揮発性メモリ
１８  調光比設定部
２１  リセット信号検出部
２２  リセット回路
【図１】
2006236705.tif 000003
【図２】
2006236705.tif 000004
【図３】
2006236705.tif 000005
【図４】
2006236705.tif 000006
【図５】
2006236705.tif 000007
【図６】
2006236705.tif 000008
【図７】
2006236705.tif 000009
【図８】
2006236705.tif 000010